(57)【要約】【課題】口部が別の容器の注入口に挿入され、安定して内容物を詰替えることができ、かつ製造コストが高くならない詰替え用包装袋を提供することにある。【解決手段】表裏一対の積層フィルムの上辺、左右の側辺および底辺を巡る周辺部をシールしシール部を形成してなる詰替え用包装袋において、該包装袋の上部には、口部が形成され、該口部に設けられた切断線を切断することにより口部を開封し、該包装袋内の内容物を詰替えるべく、該口部を別の容器の注入口に挿入可能な詰替え用包装袋であって、前記口部が、幅方向中央部に上方へ突出形成され、該口部の両側には、Ｕ字状の間隙辺をシールしシール部を形成してなる間隙を挟んでエアバックされた肩部がそれぞれ設けられ、前記切断線の位置が、前記肩部よりも突出する位置に設けられていることを特徴とする詰替え用包装袋である。【選択図】図１
2014005010.tif 000002
【特許請求の範囲】
【請求項１】
表裏一対の積層フィルムの上辺、左右の側辺および底辺を巡る周辺部をシールしシール部を形成してなる詰替え用包装袋において、
該包装袋の上部には、口部が形成され、該口部に設けられた切断線を切断することにより口部を開封し、該包装袋内の内容物を詰替えるべく、該口部を別の容器の注入口に挿入可能な詰替え用包装袋であって、
前記口部が、幅方向中央部に上方へ突出形成され、
該口部の両側には、Ｕ字状の間隙辺をシールしシール部を形成してなる間隙を挟んでエアバックされた肩部がそれぞれ設けられ、
前記切断線の位置が、前記肩部よりも突出する位置に設けられていることを特徴とする詰替え用包装袋。
【請求項２】
前記肩部が、前記側辺、前記上辺、前記間隙辺および仕切り辺のそれぞれのシール部に囲まれた非シール部からなり、該非シール部内に空気が圧入されて形成されていることを特徴とする請求項１記載の詰替え用包装袋。
【請求項３】
前記間隙辺に、前記別の容器の注入口に係合する連続状の凹凸部が形成されていることを特徴とする請求項１または２記載の詰替え用包装袋。
【請求項４】
前記表裏一対の積層フィルムの間に底テープを挿入し、端部をシールし底シール部を形成して自立性を付与したことを特徴とする請求項１〜３のいずれか１項に記載の詰替え用包装袋。
【発明の詳細な説明】
【技術分野】
【０００１】
本発明は、液体洗剤、柔軟仕上げ剤などのトイレタリー用品や、食用油、インスタントコーヒーなどの食品を収納する詰替え用包装袋に関する。さらに詳しくは、包装袋の口部を開封して内容物を別の容器に詰替える際に、該口部が、別の容器の注入口に係止できる詰替え用包装袋に関するものである。
【背景技術】
【０００２】
液体洗剤、柔軟仕上げ剤などのトイレタリー商品やインスタントコーヒーなどの食品に用いられる詰替え用包装袋は、可撓性を有する積層フィルムからなる包装袋が一般的に使用されている。
【０００３】
例えば、図６に示すような、表裏一対の積層フィルムの端部をシールすることにより包装袋が形成され、該包装袋の上部の中央部に、非シール部からなる首状の口部１５が形成され、該口部１５の上部に形成された切断線２１を切断することにより、口部を開封し、該口部から包装袋内の内容物を別の容器に詰替える詰替え用包装袋５０がある（従来例１）。
【０００４】
また図７に示すような、非シール部からなる口部１５の位置が、包装袋の上隅部に斜め上方に向くように形成された包装袋がある。これも従来例１と同様に、該口部１５の上部に形成された切断線２１を切断することにより、口部を開封し、該口部から包装袋内の内容物を別の容器に詰替える詰替え用包装袋６０がある（従来例２）。
【０００５】
また図８に示すような、包装袋の上隅部に、別体のパイプからなる注出具２５をシール部に装着し、該注出具２５の先端を切断することにより開口し、包装袋内の内容物を別の容器に詰替える注出具付詰替え用包装袋７０がある（従来例３）。
【０００６】
前記従来例１の包装袋５０は、口部１５が上辺中央部に形成されている。しかし、詰替え時、包装袋が柔らかいことから口部１５が撓み、内容物がこぼれてしまい、安定して注入できない問題がある。
【０００７】
前記従来例２の包装袋６０では、包装袋の上隅部に斜め上方に向いた口部１５を形成し注ぎ易くしているが、従来例１と同様に、包装袋が柔らかいことから口部１５が撓み、内容物がこぼれてしまい、安定して詰替えできない問題がある。
【０００８】
また従来例３の包装袋７０は、包装袋から注出具２５が突出しているため、内容物を容易に詰替えできる利点はあるが、専用の注出具２５をシール部に装着させるために、製造面での品質管理を十分に行う必要があり、また樹脂性のパイプを使用するため、製造コストが高くなる問題がある。また輸送中での振動などで、突出した注出具が他の包装袋の表面を傷つける問題がある。
【０００９】
これらの問題を改善するために、口部を別の容器の注入口に挿入して、安定して内容物を詰替えることができる詰替え用包装袋の提案がある（特許文献１）。
【００１０】
これは、包装袋の上辺中央部に口部が形成され、該口部の両側には、該口部と間隙を有してガイド部がそれぞれ設けられ、口部の切断位置がガイド部よりも突出する位置に設けられた包装袋である。
【００１１】
これは、包装袋の上部の幅方向中央部に口部が上方へ突出形成され、該口部の両側には、Ｕ字状の間隙を挟んでガイド部がそれぞれ形成されている。口部を切断して開封した後、開封した口部を別の容器の注入口に挿入する。この際、注入口は、間隙に嵌入され係止することで、口部のズレを防止する提案である。
【００１２】
しかし、包装袋が柔らかいために、ガイド部も柔らかく、注入口を間隙に安定して係止できない問題がある。
【００１３】
口部を別の容器の注入口に挿入され、安定して内容物を詰替えることができ、かつ製造コストが高くならない詰替え用包装袋の要望がある。
【先行技術文献】
【特許文献】
【００１４】
【特許文献１】特開２０００−１０３４３９号公報
【発明の概要】
【発明が解決しようとする課題】
【００１５】
本発明は、このような背景技術に鑑みなされたものであり、口部が別の容器の注入口に挿入され、安定して内容物を詰替えることができ、かつ製造コストが高くならない詰替え用包装袋を提供することにある。
【課題を解決するための手段】
【００１６】
上記の課題を解決するために、発明者らは鋭意検討を行い、本発明を完成した。
【００１７】
本発明の請求項１に係る発明は、表裏一対の積層フィルムの上辺、左右の側辺および底辺を巡る周辺部をシールしシール部を形成してなる詰替え用包装袋において、
該包装袋の上部には、口部が形成され、該口部に設けられた切断線を切断することにより口部を開封し、該包装袋内の内容物を詰替えるべく、該口部を別の容器の注入口に挿入可能な詰替え用包装袋であって、
前記口部が、幅方向中央部に上方へ突出形成され、
該口部の両側には、Ｕ字状の間隙辺をシールしシール部を形成してなる間隙を挟んでエアバックされた肩部がそれぞれ設けられ、
前記切断線の位置が、前記肩部よりも突出する位置に設けられていることを特徴とする詰替え用包装袋である。
【００１８】
本発明の請求項２に係る発明は、前記肩部が、前記側辺、前記上辺、前記間隙辺および仕切り辺のそれぞれのシール部に囲まれた非シール部からなり、該非シール部内に空気が圧入されて形成されていることを特徴とする請求項１記載の詰替え用包装袋である。
【００１９】
本発明の請求項３に係る発明は、前記間隙辺に、前記別の容器の注入口に係合する連続状の凹凸部が形成されていることを特徴とする請求項１または２記載の詰替え用包装袋である。
【００２０】
本発明の請求項４に係る発明は、前記表裏一対の積層フィルムの間に底テープを挿入し、端部をシールし底シール部を形成して自立性を付与したことを特徴とする請求項１〜３のいずれか１項に記載の詰替え用包装袋である。
【発明の効果】
【００２１】
本発明の詰替え用包装袋は、口部を別の容器の注入口に挿入し、かつ注入口を、口部とエアバックされた肩部の間の間隙に嵌入し係止することで、口部がズレがなく、包装袋内
の内容物を安定して詰め替えることができる。また製袋機上で製造でき、製造コストが高くならない包装袋である。
【００２２】
本発明の請求項１によれば、口部が、幅方向中央部に上方へ突出形成され、該口部の両側には、Ｕ字状の間隙辺をシールしシール部を形成してなる間隙を挟んでエアバックされた肩部がそれぞれ設けられ、かつ切断線位置が、肩部よりも突出する位置に設けられていることにより、口部を別な容器（以下、詰替え容器という）の注入口に挿入することができ、かつ注入口が、口部とエアバックされた肩部の間の間隙に嵌入されて係止されることにより、口部のズレがなく安定して内容物を詰替えることができる。エアバックされた肩部を備えることで、肩部の剛性を向上させ、かつ注入口との密着を向上させることができる。
【００２３】
本発明の請求項２によれば、肩部が、側辺、上辺、間隙辺および仕切り辺のそれぞれのシール部に囲まれた非シール部からなり、該非シール部内に空気が圧入されて形成されていることにより、該肩部の剛性を向上させることができる。また注入口との密着性を向上させることができる。注入口が安定して間隙に係止されることにより、口部のズレを防止することができる。また包装袋の店頭陳列での見栄えも向上させることができる。
【００２４】
本発明の請求項３によれば、間隙辺に、詰替え容器の注入口に係合する連続状の凹凸部が形成されていることにより、さらに注入口を安定して係止することができる。注入口は、通常、キャップとの螺合や嵌合をするためにねじ切りが形成されている。このねじ切りにフックするように嵌入することで、さらに口部のずれを防止することができる。
【００２５】
本発明の請求項４によれば、表裏一対の積層フィルムの間に底テープを挿入して端部をシールし底シール部を形成して自立性を付与したことにより、包装袋内の内容物の容量を増やすことができる。また自立性およびエアバックされた肩部を有することで展示陳列での見栄えを向上させることができる。
【図面の簡単な説明】
【００２６】
【図１】本発明の詰替え用包装袋の一例を正面図である。
【図２】図１に示す詰替え用包装の斜視図である。
【図３】本発明の詰替え用包装袋から内容物を詰替え容器に詰め替えている状態の一例を示す説明図である。
【図４】本発明の詰替え用包装袋の内容物充填前の状態の一例を示す説明図である。
【図５】本発明の詰替え用包装袋の積層フィルムの構成の一例を示す説明図である。
【図６】従来の詰替え用包装袋（従来例１）の上部の一例を示す説明図である。
【図７】従来の詰替え用包装袋（従来例２）の上部の一例を示す説明図である。
【図８】従来の詰替え用包装袋（従来例３）の上部の一例を示す説明図である。
【発明を実施するための形態】
【００２７】
以下、本発明を実施するための形態につき説明する。
【００２８】
図１は、本発明の詰替え用包装袋の一例を正面図である。図２は、図１に示す詰替え用包装袋の斜視図である。包装袋８０は、表積層フィルム１、裏積層フィルム２、底テープ（底積層フィルム）３からなっている。該表裏積層フィルム１，２の間に底テープ３を折り畳みながら挟んで底辺１２をシールし底シール部１２ａを形成し、表裏積層フィルムの左右の側辺１１をシールし側シール部１１ａが形成されている。また上部の幅方向中央部には、口部１５が上方へ突出形成され、該口部１５の両側には、Ｕ字状の間隙１７を挟んでエアバックされた肩部１６がそれぞれ形成されている。該間隙１７は、Ｕ字状であるために上端が開口されている。またそれぞれの間隙辺１４には、詰替え容器の注入口のねじ
切りにフックされるように、連続した凹凸部２０が形成されている。
【００２９】
また口部１５は、肩部１６より突出されて形成され、かつ該口部１５の先端には、口部を切断して開口するための切断線２１と該切断線の延長線上に開封用ノッチ２１がシール部端縁に形成されている。また口部の切断線２１の位置が、肩部１６よりも突出する位置に設けられている。
【００３０】
図３は、本発明の詰替え用包装袋から内容物を詰替え容器に詰め替えている状態の一例を示す説明図である。包装袋の口部の切断線を切断して開口させ、該口部１５を、詰替え容器３０の注入口３１に挿入して詰替えている状態を示している。詰替え容器の注入口３１は、包装袋の間隙１７に嵌入され係止されている状態である。肩部１６は、エアバック１９されているために剛性を有し、かつ肩部１６が圧入空気により膨張しているために、注入口３１を確実に係止することができる。また間隙辺１４には、詰替え容器３０の注入口３１のねじ切り３２にフックされるように、連続した凹凸部２０が形成されている。包装袋内の内容物２４を安定した状態で詰替え容器３０に詰替えることができる。Ａは、内容物の流れを示している。
【００３１】
また間隙辺１４には、連続状の凹凸部２０が形成されており、該凹凸部２０が、注入口３１の外側に形成されたキャップと螺合または嵌合するためのねじ切り３２とフックされた状態になることにより、さらに注入口が係止された状態になる。さらに安定した状態で詰め替えができる。
【００３２】
さらに、本発明を実施するための形態について説明する。
【００３３】
本発明の詰替え用包装袋に使用する積層フィルム４０としては、少なくとも、基材層４１とシーラント層４５が積層された構成からなる。また積層フィルムの剛性や突き刺し強度、ガスバリア性などを向上させる必要があれば、基材層４１とシーラント層４５の間に中間層４３を設けることで対応が可能である。
【００３４】
図５に本発明の詰替え用包装袋の積層フィルムの構成の一例を示す説明図である。積層フィルム４０は、外側より、基材層４１／印刷層４６／接着剤層４２／中間層４３／接着剤層４４／シーラント層４５が順に積層されている一例である。
【００３５】
基材層４１としては、プラスチックフィルムや紙などが使用できる。プラスチックフィルムとしては、ポリエチレンテレフタレートフィルム、ポリエチレンナフタレートフィルムなどのポリエステルフィルム、ポリプロピレンなどのポリオレフィンフィルム、ポリスチレンフィルム、６−ナイロンなどのポリアミドフィルム、ポリカーボネートフィルム、ポリアクリルニトリルフィルム、ポリイミドフィルムなどが挙げられる。機械的強度や寸法安定性を有するものであれば、特に限定されない。特に二軸延伸されたフィルムが好ましい。
【００３６】
また紙としては、上質紙、片アート紙、コート紙、キャストコート紙、模造紙などを用いることができる。特に包装袋の容量、サイズなどから紙の坪量を適宜決めればよい。
【００３７】
基材層には、必要に応じて適宜印刷層４６を設けることができる。印刷層４６としては、溶剤と、ウレタン系、アクリル系、ニトロセルロース系、ゴム系などのバインダー樹脂と、各種顔料、体質顔料および可塑剤、乾燥剤、安定剤などを添加してなるインキにより形成される層である。この印刷層により、文字、絵柄などを形成することができる。印刷方法としては、例えば、オフセット印刷、グラビア印刷、フレキソ印刷、シルクスクリーン印刷、インクジェット印刷などの公知の印刷方法を用いることができる。また基材層の表面を、予め前処理としてコロナ処理またはオゾン処理を施すことにより、印刷層の密着性を向上させることができる。
【００３８】
シーラント層４５としては、低密度ポリエチレン、直鎖状低密度ポリエチレン、中密度ポリエチレン、高密度ポリエチレン、エチレン−メタクリル酸共重合体（ＥＭＡＡ）、エチレン−アクリル酸エチル共重合体（ＥＡＡ）、アイオノマー、ポリプロピレンなどのポリオレフィン系樹脂が使用できる。これらの樹脂を押出し機により製膜して使用することができる。上記の樹脂の単層または複層にて使用できる。フィルム厚みとしては１０〜１００μｍの範囲がよく、特に１５〜６０μｍの範囲が好ましい。
【００３９】
また基材層４１とシーラント層４５を積層させるには、接着層４６を介してドライラミネート法にて貼り合わせることができる。接着剤としては、ドライラミネート用接着剤が用いられる。二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤などを使用することができる。またシーラント層を押出し機により押出しながら、アンカー剤（接着剤）を介して貼り合せることもできる。
【００４０】
また積層フィルムの剛性、落下強度や突き刺し強度などの向上、また内容物が食品の場合は、酸素ガスバリア、水蒸気ガスバリアを向上させるために中間層４３を積層することができる。中間層４３としては、例えば、落下強度や突き刺し強度などを向上させるには、延伸ポリアミド樹脂フィルムなどを使用することができ、また酸素ガスバリア、水蒸気バリアを向上させるには、アルミニウム箔、アルミニウム蒸着ポリエステルフィルム、無機酸化物蒸着ポリエステルフィルムなどが使用できる。また中間層４３を積層するには、接着層４２，４４を介してドライラミネート法にて貼り合わせることができる。
【００４１】
無機酸化物としては、酸化珪藻、酸化アルミニウム、酸化マグネシウム、カルシュウム、カリウム、錫、ナトリウム、ホウ素、チタン、鉛、ジルコニウム、イットリウムなどの金属の酸化物が使用できる。中でも生産性、価格面から酸化珪素、酸化マグネシウムが好ましい。
【００４２】
積層フィルム４０の具体的な構成例としては、例えば、ポリエステルフィルム／印刷層／接着剤層／直鎖状低密度ポリエチレンフィルム、ポリエステルフィルム／印刷層／接着剤層／延伸ポリアミド樹脂フィルム／接着剤層／直鎖状低密度ポリエチレンフィルム、延伸ポリアミド樹脂フィルム／接着剤層／直鎖状低密度ポリエチレンフィルム、延伸ポリアミド樹脂フィルム／接着剤層／延伸ポリアミド樹脂フィルム／接着剤層／直鎖状低密度ポリエチレンフィルム、紙／低密度ポリエチレンフィルム／接着剤層／アルミニウム箔／接着剤層／低密度ポリエチレンフィルム、紙／低密度ポリエチレンフィルムなどが挙げられる。
【００４３】
次に肩部を形成する製造方法について説明する。
【００４４】
例えば、一方の肩部、即ち、図４で示すような口部の左側の肩部１６を形成するには、側辺１１と間隙辺１４と仕切り辺１３をそれぞれシールしシール部１１ａ、１４ａ、１３ａを形成する。次に上辺１０をシールしシール部１０ａを形成する。この際に、上辺１０の一部に空気を圧入する空気導入口（図には示していない）を設け、該空気導入口から空気を圧入し、所定の空気を挿入した後、空気導入口をシールしてシール部を形成することにより、エアバック１９が形成される。エアバックされた肩部１６を形成することができる。
【００４５】
また他方の肩部、即ち口部の右側の肩部１６を形成するには、図４に示すように、まず
内容物を充填する開口口２３を設ける。側辺１１と間隙辺１４をそれぞれシールしシール部１１ａ、１４ａを形成して開口口２３を設ける。該開口口２３から内容物を充填し、その後、図１に示すように、仕切り辺１３をシールしシール部１３ａを形成して、内容物を収納し密封する。次に上辺１０をシールしシール部１０ａを形成する。この際に、上辺１０の一部に空気を圧入する空気導入口（図には示していない）を設け、該空気導入口から空気を圧入し、所定の空気を挿入した後、空気導入口をシールしてシール部を形成することにより、エアバックが形成される。エアバックされた肩部を形成することができる。
【００４６】
このようにして、内容物が充填され、エアバックされた肩部を設けた包装袋を形成することができる。
【００４７】
また口部に設ける切断線２１は、表裏積層フィルムに連続して設けたハーフカット線であることが好ましい。ハーフカット線の深さは、基材層側からシーラント層に向けて加工され、基材層までカットすることで可能である。手で切断線を切断することにより口部を容易に形成することができる。切断線２１は、金属刃によって形成する方法と、レーザー加工によって形成する方法が一般に用いられているが、レーザー加工による方法は、均一で安定した切断線を形成できるので好ましい。レーザーの種類としては、炭酸ガスレーザーがより好ましい。
【００４８】
本発明の包装袋８０は、自立性を備えた包装袋であることが好ましい。包装袋の底部には、底テープが挿入されたスタンディングタイプの包装袋であることが好ましい。図１、図２で示す本発明の実施形態の一例では、いずれもスタンディングタイプ包装袋を示している。また包装袋の両側に側テープが挿入されたガゼットタイプの包装袋でもよい。
【００４９】
以下、本発明の詰替え用包装袋の具体的製造方法について説明する。
【００５０】
ポリエステルフィルム１２μｍの片面にウレタン系樹脂をバインダーとしたグラビアインキを用いてグラビア印刷を行う。次に該ポリエステルフィルムの印刷面と延伸ポリアミド樹脂フィルム（ＯＮｙ）１５μｍを、二液硬化型ウレタン系接着剤を介してドライラミネート法にて貼り合わせを行う。
【００５１】
次に該延伸ポリアミド樹脂フィルム（ＯＮｙ）面と直鎖状低密度ポリエチレンフィルム６０μｍを、二液硬化型ウレタン系接着剤を介してドライラミネート法にて貼り合わせ、積層フィルムを形成する。形成した積層フィルムは、ポリエステルフィルム１２μｍ／印刷層／接着剤層／延伸ポリアミド樹脂フィルム（ＯＮｙ）１５μｍ／接着剤層／直鎖状低密度ポリエチレンフィルム６０μｍの積層フィルムになる。
【００５２】
一例としてスタンディングタイプの包装袋を形成するために、上記積層フィルムを用い、表裏積層フィルム、底テープを形成すべく所定の幅にてスリットする。底テープを表裏積層フィルムの下部、即ち底部の間に折り畳みながら挟んで端部をそれぞれシールし底シール部を形成し、それぞれの端部をシールし側シール部をそれぞれ形成し、スタンディングタイプの包装袋を形成する。
【００５３】
次に、上記包装袋の上部に、幅方向中央部に上方へ突出するように口部を形成し、一方の上隅部にＵ字状の間隙を挟んでエアバックされた肩部を形成する。また間隙辺には、連続状の凹凸部を形成する。
【００５４】
また他方の肩部には、内容物を充填する開口口を形成し、該開口口から内容物を充填後、所定の位置の仕切り辺をシールしシール部を形成し内容物を密封する。その後上辺をシールしシール部を形成する。このシールする際に、空気を圧入する空気導入口を設け、空気を圧入した後、空気導入口をシールしてシール部を形成することで、内容物が充填された詰替え用包装袋を作成する。
【００５５】
口部を形成する際には、口部が、肩部より突出するように形成する。口部の先端には、口部を開封するための切断線が形成し、該切断線の延長線上の端縁に易開封用ノッチを形成する。
【００５６】
Ｕ字状の間隙は、詰替え容器の注入口を嵌入し係止させるものである。間隙辺には、注入口のねじ切りにフックされるように連続状の凹凸部を形成する。またＵ字状の間隙の大きさは、間隙幅が、詰替え容器の注入口の厚さとほぼ同等であればよく、深さは、注入口を係止することができれば特に限定はしない。
【００５７】
包装袋に収納される内容物２４としては、ポンプノズルを有するプラスチック容器を使用する内容物、即ちシャンプー、リンス、液体洗剤、柔軟仕上げ剤などのトイレタリー商品、またスプレーノズルを有するプラスチック容器を使用する内容物、即ち芳香剤、殺菌剤、防虫剤、殺虫剤などがある。その他、ガラス容器を使用する詰替え用内容物がある。また液体状の内容物だけでなく、コーヒーの粉などの固形食品もある。
【符号の説明】
【００５８】
１・・・・表積層フィルム
２・・・・裏積層フィルム
３・・・・底テープ（底積層フィルム）
１０・・・上辺
１０ａ・・上シール部
１１・・・側辺
１１ａ・・側シール部
１２・・・底辺
１２ａ・・底シール部
１３・・・仕切り辺
１３ａ・・仕切りシール部
１４・・・間隙辺
１４ａ・・間隙シール部
１５・・・口部
１６・・・肩部
１７・・・間隙
１８・・・非シール部
１９・・・エアバック
２０・・・連続した凹凸部
２１・・・切断線
２２・・・開封用ノッチ
２３・・・開口口
２４・・・内容物
２５・・・注出具
３０・・・詰替え容器
３１・・・注入口
３２・・・ねじ切り
４０・・・積層フィルム
４１・・・基材層
４２・・・接着層
４３・・・中間層
４４・・・接着層
４５・・・シーラント層
４６・・・印刷層
５０・・・従来例１の詰替え用包装袋
６０・・・従来例２の詰替え用包装袋
７０・・・従来例３の詰替え用包装袋
８０・・・本発明の詰替え用包装袋（スタンディングタイプの包装袋）
Ａ・・・・内容物の流れ
【図１】
2014005010.tif 000003
【図２】
2014005010.tif 000004
【図３】
2014005010.tif 000005
【図４】
2014005010.tif 000006
【図５】
2014005010.tif 000007
【図６】
2014005010.tif 000008
【図７】
2014005010.tif 000009
【図８】
2014005010.tif 000010